(57)【要約】【課題】ウエイトの設置や撤去を不要にして、工期の短縮化及びコストダウンを図ることのできるアンカ装置を提供する。【解決手段】コンクリート製の底版１内に埋込まれた基礎ボルト３４の上端に螺合したスリーブ３５に、上端部が底版１の上面よりも上方へ突出するよう、着脱可能に継足しボルト３６を螺合し、底版１の上面に設置されて内槽屋根及び外槽屋根のエアレイジング時に内槽屋根及び外槽屋根を案内するバランスワイヤ１０を固定するワイヤ固定部材４１を備えたアンカ本体３３を、継足しボルト３６及びナット３８により底版１上面に固定する。【選択図】図１
2005179982.tif 000002
【特許請求の範囲】
【請求項１】
コンクリート製の底版内に埋込まれた基礎ボルトの上端に螺合したスリーブに、上端部が前記底版の上面よりも上方へ突出するよう、着脱可能に継足しボルトを螺合し、前記底版の上面に設置されて屋根のエアレイジング時に屋根を案内するバランスワイヤを固定するワイヤ固定部材を備えたアンカ本体を、前記継足しボルト及びナットにより前記底版上面に固定したことを特徴とするアンカ装置。
【請求項２】
継足しボルトには底版に埋設されたコンクリート縁切り材が外嵌されている請求項１記載のアンカ装置。
【請求項３】
コンクリート縁切り材の下端はスリーブの上端に位置し、上端は底版の上面と略同一である請求項２記載のアンカ装置。
【請求項４】
形枠に、複数の基礎ボルトと、該基礎ボルトの上端に外嵌されたスリーブと、前記基礎ボルトよりも上方に位置するようスリーブに着脱可能に螺合された継足しボルトとを設置すると共に、複数の前記継足しボルトにスリーブを介して接続したテンプレート用ボルトに位置決め用のテンプレートを取付け、前記形枠内にコンクリートを打設して前記基礎ボルト、スリーブ、継足しボルトの上端部側よりも下の部分をコンクリート内に埋設させ、打設したコンクリートの養生後にテンプレート及びテンプレート用ボルト並びに該テンプレート用ボルトが螺合されているスリーブを撤去し、前記コンクリートが固化して形成された底版上に、屋根のエアレイジング時に屋根を案内するバランスワイヤを固定するワイヤ固定部材を備えたアンカ本体を設置して該アンカ本体を前記継足しボルト及びナットにより、前記底版上に固定することを特徴とするアンカ装置の設置方法。
【請求項５】
継足しボルトには、コンクリート縁切り材を外嵌させておく請求項４に記載のアンカ装置の設置方法。
【請求項６】
コンクリート縁切り材の下端はスリーブの上端に位置し、上端はコンクリートを打設した際にコンクリートの上面と略同一となるようにする請求項５に記載のアンカ装置の設置方法。
【発明の詳細な説明】
【技術分野】
【０００１】
本発明はアンカ装置及びアンカ装置の設置方法に関するものである。
【背景技術】
【０００２】
例えば、地上タンクの屋根を取付ける工法として、タンク内で組立てた屋根を、この屋根の下に供給したエアの圧力により上昇させるエアレイジング工法が知られており、エアレイジング工法を行う際の従来例は図４〜図６に示されている。
【０００３】
図４は地上タンクが二重殻タンクの場合を示し、図中、１はコンクリート製の底版、２は底版１上に立設したコンクリート製で円筒形の側壁、３は底版１上に敷設した外槽底板、４は側壁２の内周に貼設された外槽側板、５は外槽底板３と外槽側板４により形成されたタンク内空間６の底部において組立てられた外槽屋根、７は同様にタンク内空間６において外槽屋根５の下部に組立てられた内槽屋根、８は外槽屋根５と内槽屋根７とを連結する連結部材である。
【０００４】
９は外槽底板３の上面に設けたエアレイジング用のバランスワイヤ１０の下端を固定するために外槽底板３の中心部に配置されたアンカ装置である。アンカ装置９は図５、図６に示すように、外槽底板３の上面に溶接により固設し得るようにした基板１１と、基板１１の四隅に立設した柱部材１２と、各柱部材１２を連結するよう固設された水平円筒形のワイヤ固定部材１３により構成されており、４箇所のワイヤ固定部材１３には合計３０本程度のバランスワイヤ１０の下端が固定されるようになっている。
【０００５】
下端をアンカ装置９のワイヤ固定部材１３に固定された複数のバランスワイヤ１０は、タンク内空間６を略真直ぐに上昇し、内槽屋根７及び外槽屋根５に設けた孔を通って、外槽屋根５の上方まで延在し、外槽屋根５の上面に配置されたシーブ１４に巻掛けられ、外槽屋根５の上面に沿って外槽屋根５の径方向外方へ全体として平面視で放射状に延在し、シーブ１５に案内されて外槽屋根５の外縁部近傍まで延在し、外槽屋根５上面の外縁部近傍に配置されたシーブ１６により巻掛けられて上方へ向かい、外槽側板４の内周に沿って上方へ延在し、シーブ１７，１８に案内されてその端部は側壁２の上端に固定されている。
【０００６】
１９は送風機であり、送風機１９から送給された空気２０は管路２１等からタンク内空間６に導入されるようになっている。図５中、２２はコンクリート片等のウエイトである。
【０００７】
外槽屋根５及び内槽屋根７をエアレイジングする場合には、図４に示すように、タンク内空間６において外槽屋根５及び内槽屋根７を組立て、アンカ装置９を外槽底板３上に設置して基板１１を外槽底板３に対して溶接し、固定する。又、図４に示すように配索したバランスワイヤ１０の下端をアンカ装置９のワイヤ固定部材１３に固定すると共に、バランスワイヤ１０の上端側を側壁２の上端部に固定する。
【０００８】
送風機１９を駆動すると空気２０は管路２１等を経てタンク内空間６の内槽屋根７下部の部分に供給される。このため、内槽屋根７及び外槽屋根５は、空気圧によりバランスワイヤ１０によりバランスを保持した状態で案内されつつ、エアレイジングされる。
【０００９】
エアレイジングの際には、１本のバランスワイヤ１０に約１０００ｋｇ、合計約３０ｔ程度の上向きの荷重が作用する。ところが、外槽底板３の厚さは約６〜８ｍｍの薄板であるため、上向き荷重により外槽底板３に浮上がりが生じる。この防止対策として、外槽底板３上面には、上向きの荷重を相殺するために約３０ｔのウエイト２２を設置するが、ウエイト２２は内槽屋根７及び外槽屋根５のエアレイジング後には撤去しなければならない。
【００１０】
なお、アンカ装置９の固定は外槽底板３ではなく、内槽底板（図示せず）に対して行うようにすることもある。
【００１１】
又、タンクの屋根をエアレイジングするようにした先行技術文献としては特許文献１がある。特許文献１では、屋根をエアレイジングする際に使用する重量バランス装置を設けている。而して、重量バランス装置は、屋根上に局部重量物が取付けられている位置に対応させて側壁の上方所要高さ位置に、タンク内外方へ張出すようにした架台フレームを、側壁の頂部又は地上から立設し、該架台フレームの内端及び外端部にシーブを取付け、且つ、屋根上の局部重量物付近に一端を接続したワイヤロープの中間部をシーブに順次掛渡し、且つ、前記ワイヤロープの他端に、局部重量物の荷重と略等しい重量のカウンタウエイトを吊下げるようにした構成としてある。
【特許文献１】特開２０００−１７８７８号公報
【発明の開示】
【発明が解決しようとする課題】
【００１２】
しかるに、図４〜図６に示すタンクの場合、ウエイト２２の設置及び撤去には、時間が掛かり、工期の長期化、コストアップを招来する虞があり、特許文献１の場合は、重量バランス装置は大掛かりとなり、その設置及び撤去には時間が掛かり、この場合にも、工期の長期化、コストアップを招来する虞がある。
【００１３】
本発明は上述の実情に鑑み、ウエイトや重量バランス装置の設置や撤去を不要にして、工期の短縮化及びコストダウンを図ることのできるアンカ装置及びアンカ装置の設置方法を提供することを目的としてなしたものである。
【課題を解決するための手段】
【００１４】
請求項１のアンカ装置は、コンクリート製の底版内に埋込まれた基礎ボルトの上端に螺合したスリーブに、上端部が前記底版の上面よりも上方へ突出するよう、着脱可能に継足しボルトを螺合し、前記底版の上面に設置されて屋根のエアレイジング時に屋根を案内するバランスワイヤを固定するワイヤ固定部材を備えたアンカ本体を、前記継足しボルト及びナットにより前記底版上面に固定したものである。
【００１５】
請求項２のアンカ装置においては、継足しボルトには底版に埋設されたコンクリート縁切り材が外嵌されており、請求項３のアンカ装置においては、コンクリート縁切り材の下端はスリーブの上端に位置し、上端は底版の上面と略同一である。
【００１６】
請求項４のアンカ装置の設置方法は、形枠に、複数の基礎ボルトと、該基礎ボルトの上端に外嵌されたスリーブと、前記基礎ボルトよりも上方に位置するようスリーブに着脱可能に螺合された継足しボルトとを設置すると共に、複数の前記継足しボルトにスリーブを介して接続したテンプレート用ボルトに位置決め用のテンプレートを取付け、前記形枠内にコンクリートを打設して前記基礎ボルト、スリーブ、継足しボルトの上端部側よりも下の部分をコンクリート内に埋設させ、打設したコンクリートの養生後にテンプレート及びテンプレート用ボルト並びに該テンプレート用ボルトが螺合されているスリーブを撤去し、前記コンクリートが固化して形成された底版上に、屋根のエアレイジング時に屋根を案内するバランスワイヤを固定するワイヤ固定部材を備えたアンカ本体を設置して該アンカ本体を前記継足しボルト及びナットにより、前記底版上に固定するものである。
【００１７】
請求項５のアンカ装置の設置方法においては、継足しボルトには、コンクリート縁切り材を外嵌させておき、請求項６のアンカ装置の設置方法においては、コンクリート縁切り材の上端は、コンクリートを打設した際にコンクリートの上面と略同一となるようにするものである。
【発明の効果】
【００１８】
本発明の請求項１〜６記載のアンカ装置及びアンカ装置の設置方法によれば、タンクの屋根のエアレイジング時に、ウエイトや重量バランス装置の設置や撤去が不要となって現地作業が減少し、従って、工期の短縮を図ることができると共に大掛かりな装置が不要となり、コストダウンを図ることができ、更に、ボルト類は継足し構造で、エアレイジング後はアンカ装置固定用の継足しボルトは撤去しているため、タンク使用時には、金属製の継足しボルトは底版上に露出せず、従って、局所的な冷熱のリークによるコンクリート製の底版の冷却を防止することができ、底版に悪影響を与える虞がない、という優れた効果を奏し得る。
【発明を実施するための最良の形態】
【００１９】
以下、本発明の実施の形態を図示例と共に説明する。
図１、図２は、図４に示すタンクに適用されている従来のアンカ装置にかわる本発明のアンカ装置の一例である。而して、本図示例のアンカ装置３１は、ほとんどがコンクリート製の底版１内に埋設されるボルト類３２と、底版１の外槽底板３の敷設されていない上面に設置されてボルト類３２における後述の継足しボルト３６の底版１上に突出した部分に固設されるアンカ本体３３とを備えている。
【００２０】
ボルト類３２は、一箇所当たり２本ずつ４箇所に配置されて底版１内に埋設された基礎ボルト３４と、底版１内に埋設されて各基礎ボルト３４の上端に螺合されているスリーブ３５と、下端がスリーブ３５に螺合されて上端が底版１の上面の上方へ突出するようにした継足しボルト３６と、上面が底版１の上面と同一面となるよう底版１内に埋設された状態で継足しボルト３６に外嵌されている円筒状のコンクリート縁切り材３７とを備えている。
【００２１】
アンカ本体３３は、底版１上に設置してボルト孔に継足しボルト３６を挿通させ、ナット３８を介し締結し得るようにした基板３９と、基板３９上に溶接等により固設された柱状部材４０と、隣合う柱状部材４０を連結するよう水平設置された円筒状のワイヤ固定部材４１を備えており、ワイヤ固定部材４１にはバランスワイヤ１０の下端が固定されるようになっている。
【００２２】
本図示例のアンカ装置３１におけるアンカ本体３３のワイヤ固定部材４１にバランスワイヤ１０を固定して、例えば図４に示す内槽屋根７及び外槽屋根５のエアレイジングを行う場合には、バランスワイヤ１０に作用する上向きの荷重はワイヤ固定部材４１から柱状部材４０、基板３９、継足しボルト３６、スリーブ３５を介して基礎ボルト３４に伝達され、基礎ボルト３４から底版１に伝えられる。このため、内槽屋根７及び外槽屋根５のエアライジング時に上向きの荷重が外槽底板３に作用することはなく、外槽底板３が浮上がることはない。
【００２３】
エアレイジング作業が終了したら、アンカ装置３１及び継足しボルト３６を撤去し、スリーブ３５及びコンクリート縁切り材３７内にコンクリートを充填し、底版１上の外槽底板３を設けてない場所に外槽底板３を設置する。
【００２４】
本図示例によれば、内槽屋根７及び外槽屋根５のエアレイジング時に、ウエイトや重量バランス装置の設置や撤去が不要となって現地作業が減少し、従って、工期の短縮を図ることができると共に大掛かりな装置が不要となり、コストダウンを図ることができる。
【００２５】
又、ボルト類３２は継足し構造で、エアレイジング後は継足しボルト３６を撤去しているため、タンク使用時には、金属製の継足しボルト３６は底版１上に露出しない。従って、局所的な冷熱のリークによるコンクリート製の底版１の冷却を防止することができ、底版１に悪影響を与える虞がない。
【００２６】
次に、本図示例のアンカ装置３１を設置する場合の手順について、図３を参照しつつ説明する。底版１を建造するためにコンクリートを打設するに先立ち、予め、ボルト類３２を形枠内に設置する。すなわち、基礎ボルト３４をコンクリート打設用の形枠内に配置して鉄筋等に位置決めのうえ固定し、基礎ボルト３４上端にスリーブ３５を螺合すると共に、スリーブ３５に継足しボルト３６を螺合し、継足しボルト３６にコンクリート縁切り材３７を外嵌し、継足しボルト３６の上端にスリーブ４２を外嵌し、スリーブ４２にテンプレート用ボルト４３を螺合し、８本のテンプレート用ボルト４３の上端部に継足しボルト３６の水平方向位置の位置決めに１枚のテンプレート４４を取付け、固定する。ボルト類３２は上述のように現地で順次組付けても良いし、或は予め一体に組付けたものを設置するようにしても良い。なお、図３中、４５は補強材である。
【００２７】
図３に示すようにボルト類３２の設置が終了したら、継足しボルト３６の上端側が所定寸法だけ上方へ突出するよう、コンクリートを打設する。図３において、１ａは打設されたコンクリートの上面である。而して、コンクリートを打設して所定の間養生したら、テンプレート４４及びテンプレート用ボルト４３並びにスリーブ４２は撤去し、図１、図２に示すアンカ本体３３を上記したように、底版１上に設置して継足しボルト３６及びナット３８により固定する。
【００２８】
このようにしてアンカ装置３１を設置するようにしたので、上述のように、内槽屋根７及び外槽屋根５のエアレイジング後には、アンカ装置３１及び継足しボルト３６を撤去することができる。従って、上述のように継足しボルト３６は底版１上に露出せず、局所的な冷熱のリークによる底版１の冷却を防止することができる。
【００２９】
なお、本発明のアンカ装置及びアンカ装置の設置方法においては、アンカ装置を二重殻タンクに適用する場合について説明したが、二重殻タンク以外のタンクに対しても適用することができること、地上タンクではなく地下タンクに対して適用することもできること、その他、本発明の要旨を逸脱しない範囲内において種々変更を加え得ることは勿論である。
【図面の簡単な説明】
【００３０】
【図１】本発明のアンカ装置の実施の形態の一例の縦断面図で、図２のＩ−Ｉ方向矢視図である。
【図２】図１のＩＩ−ＩＩ方向矢視図である。
【図３】本発明のアンカ装置の設置方法を説明するための縦断面図である。
【図４】タンクの内槽屋根及び外槽屋根をエアレイジングする場合の一般的な状態を示す縦断面図である。
【図５】図４に示す内槽屋根及び外槽屋根のエアレイジング時のバランスワイヤに作用する反力を支持するアンカ装置の断面正面図である
【図６】図５のＶＩ−ＶＩ方向矢視図である。
【符号の説明】
【００３１】
１  底版
５  外槽屋根（屋根）
７  内槽屋根（屋根）
１０  バランスワイヤ
３１  アンカ装置
３２  ボルト類
３３  アンカ本体
３４  基礎ボルト
３５  スリーブ
３６  継足しボルト
３７  コンクリート縁切り材
３８  ナット
４１  ワイヤ固定部材
４２  スリーブ
４３  テンプレート用ボルト
４４  テンプレート
【図１】
2005179982.tif 000003
【図２】
2005179982.tif 000004
【図３】
2005179982.tif 000005
【図４】
2005179982.tif 000006
【図５】
2005179982.tif 000007
【図６】
2005179982.tif 000008